(57)【特許請求の範囲】
【請求項１】
乗場三方枠の幕板の裏面に遮煙・遮炎スクリーン装置のケースを配置した遮煙・遮炎スクリーン組込型乗場装置において、
前記遮煙・遮炎スクリーン装置のケースは、前記乗場三方枠の縦枠のスクリーン用ガイドレールの乗場側上端部近傍に垂直部が固着されて設置され、水平部が前記遮煙・遮炎スクリーン装置のケース下面を固定支持するＬ字形のスクリーンケース固定金具を介して固定されており、
前記遮煙・遮炎スクリーン装置のケース内に設けられ、周囲に遮煙・遮炎スクリーンが巻かれた円筒状の巻き取りシャフトと、前記巻き取りシャフトを支持するために両端部に突設されたシャフト軸と、前記遮煙・遮炎スクリーン装置のケースに固定され、前記シャフト軸を軸支する巻き取りシャフトの取付ブラケットとを備え、
前記遮煙・遮炎スクリーン、巻き取りシャフト、及びシャフト軸を支持する巻き取りシャフトの取付ブラケットを、前記乗場三方枠の縦枠の上端部でかつスクリーン用ガイドレールの乗場側に固定して、前記遮煙・遮炎スクリーン装置のケースの重量が乗場三方枠の縦枠に直接掛かるように構成したことを特徴とするエレベータの乗場装置。
【請求項２】
スクリーンケース固定金具を介して遮煙・遮炎スクリーン装置のケース下面及び巻き取りシャフトの取付ブラケットを共締め固定することを特徴とする請求項１記載のエレベータの乗場装置。
【発明の詳細な説明】
【技術分野】
【０００１】
この発明は、ビル火災発生時に用いられる遮煙・遮炎スクリーン装置が組み込まれたエレベータの乗場装置に関するものである。
【背景技術】
【０００２】
従来、遮煙・遮炎スクリーンが組み込まれたエレベータの乗場装置は、例えば、図６〜図１２に示すような構造である。図６は従来の遮煙・遮炎スクリーンが組み込まれたエレベータの乗場装置を輸送コンテナに組み込んだ輸送時の状態を示す正面図、図７はエレベータの乗場装置を輸送コンテナに組み込んでトラックに載せて輸送中の状態を示す図、図８は図６の矢視Ｃ方向から見た乗場装置の側面図、図９は図６の上方向から見た乗場装置の平面図、図１０は図６のＤ部を拡大して示す詳細図、図１１は乗場三方枠の幕板の高さが大きい場合の例を示す図１０相当図、図１２は乗場三方枠の縦枠の幅が大きい場合の例を示す図１０相当図である。
図において、１は乗場装置の輸送コンテナ、２は乗場三方枠、２ａは乗場三方枠２の正面上方部を構成する幕板、２ｂは乗場三方枠２の左右両側部を構成する縦枠、３は幕板２ａの背面側に設置された箱状の遮煙・遮炎スクリーン装置のケース、３ａは遮煙・遮炎スクリーン、３ｂは遮煙・遮炎スクリーン３ａの先端部に取り付けられたスクリーン錘であり、これらは工場で一体的に組立てられ、一体の遮煙・遮炎スクリーン組込型乗場三方枠を構成している。この遮煙・遮炎スクリーン装置は、スクリーン昇降用モータの無いタイプのものであり、火災等により制御信号を受けると、遮煙・遮炎スクリーン装置のラチェット等の係合が外れて遮煙・遮炎スクリーン３ａの先端部に取り付けられたスクリーン錘３ｂにより遮煙・遮炎スクリーン３ａが降下する構成のもので、遮煙・遮炎スクリーン３ａを巻き付けるドラムの回転を機械的に制動して、遮煙・遮炎スクリーン３ａの降下速度を一定にしている。
このように構成された遮煙・遮炎スクリーン組込型乗場装置は、輸送時には乗場三方枠２を水平状態（エレベータ乗場側を上側）にして輸送コンテナ１に組み込まれ、乗場三方枠２の縦枠２ｂを輸送用固定金具１ａにより固定し、トラックに載せて輸送される。乗場装置の輸送コンテナ１は、例えば、４本のパイプが長方形状に組立てられた下枠４ｂと、この下枠４ｂの４隅にそれぞれ立設固定された４本の縦柱４ｃと、この４本の縦柱４ｃの上端部を接続固定する４本のパイプが長方形状に組立てられた上枠４ａと、縦柱４ｃの中央部のやや下方寄りに固定され、支持枠４ｄを支持するための支持金具４ｆとによって構成された枠組である。乗場三方枠２は、固定金具４ｅ及び支持枠４ｄを介して上記輸送コンテナ１の枠組に着脱自在に固定されることで、簡易に輸送、保管される構造となっている。遮煙・遮炎スクリーン装置のケース３は、乗場三方枠２の縦枠２ｂに設けられた遮煙・遮炎スクリーン３ａをガイドするガイドレール２ｃの上部側面に固定されたＬ字形の取付金５を介して固定され、また、乗場三方枠２の幕板２ａに固定された取付補強６を介してＬ字形の取付金７により固定されている。なお、１０は運搬用補強板である。
ところが、以上のようなエレベータの乗場装置では、遮煙・遮炎スクリーン装置のケース３と乗場三方枠２の幕板２ａとが固定されているため、輸送時に遮煙・遮炎スクリーン装置のケースの重みで乗場三方枠幕板が歪み、意匠性が低下する。また、幕板の変形等が大きい場合には、製作し直しとなる可能性がある。また、遮煙・遮炎スクリーン装置のケース自体は０．８〜１．６ｍｍ厚程度の薄板であり、遮煙・遮炎スクリーン装置のケースと乗場三方枠と固定しているため、輸送時に遮煙・遮炎スクリーン装置のケース内の巻き取りシャフトや、シャフト軸等の重みで巻き取りシャフトを支持しているブラケットと遮煙・遮炎スクリーン装置のケースの固定箇所が変形し、遮煙・遮炎スクリーンの閉鎖性能、防火性能が低下する。また、三方枠の幕板部に遮煙・遮炎スクリーン装置のケースの取付補強があるため、乗場三方枠仕様（縦枠幅、幕板高さ等）により、遮煙・遮炎スクリーン装置のケース取付補強の寸法及び取付位置を変化させる必要があり、工作性が悪い。また、遮煙・遮炎スクリーン組込型乗場装置では、特別な輸送治具を取り付けるため、輸送性が悪い。また、遮煙・遮炎スクリーン装置のケース自体は０．８〜１．６ｍｍ厚程度の薄板で出来ているため、輸送治具を取り付けていても、変形する可能性があり、防火性能が低下する恐れがある。
【０００３】
また、他の従来技術としては、遮炎・遮煙シャッターが火災発生時に乗場の開口部を閉鎖する機能を阻害することなく、エレベータ利用者の視界から遮炎・遮煙シャッターを隠すことができるエレベータの乗場装置が知られている（例えば、特許文献１参照）。
【０００４】
【特許文献１】特開２００４−５１２５７号公報
【発明の開示】
【発明が解決しようとする課題】
【０００５】
従来の遮煙・遮炎スクリーン装置が組み込まれたエレベータの乗場装置では、遮煙・遮炎スクリーン装置のケース３と乗場三方枠２の幕板２ａとが固定されているため、輸送時に遮煙・遮炎スクリーン装置のケースの重みで乗場三方枠幕板が歪み、意匠性が低下する。また、幕板の変形等が大きい場合には、製作し直しとなる可能性がある。また、遮煙・遮炎スクリーン装置のケース自体は０．８〜１．６ｍｍ厚程度の薄板であり、遮煙・遮炎スクリーン装置のケースと乗場三方枠を固定しているため、輸送時に遮煙・遮炎スクリーン装置のケース内の巻き取りシャフトや、シャフト軸等の重みで巻き取りシャフトを支持しているブラケットと遮煙・遮炎スクリーン装置のケースの固定箇所が変形し、遮煙・遮炎スクリーンの閉鎖性能、防火性能が低下する。また、乗場三方枠の幕板部に遮煙・遮炎スクリーン装置のケースの取付補強があるため、乗場三方枠仕様（縦枠幅、幕板高さ等）により、遮煙・遮炎スクリーン装置のケース取付補強の寸法及び取付位置を変化させる必要があり、工作性が悪い。また、遮煙・遮炎スクリーン装置組込型乗場三方枠では、特別な輸送治具を取り付けるため、輸送性が悪い。また、遮煙・遮炎スクリーン装置のケース自体は０．８〜１．６ｍｍ厚程度の薄板で出来ているため、輸送治具を取り付けていても、変形する可能性があり、防火性能が低下する恐れがある。
【０００６】
また、従来技術のエレベータの乗場装置では、塞ぎ板が利用者の視界から錘を隠し、第三者のイタズラを防止するものであり、遮煙・遮炎スクリーン組込型乗場装置の輸送時の強度について考慮したものではない。
【０００７】
この発明は上記のような課題を解決するためになされたもので、遮煙・遮炎スクリーン装置と乗場三方枠の幕板との固定を廃止して、輸送中にスクリーンの重みで幕板部が歪むことも無く、意匠性を向上させるようにしたエレベータの乗場装置を提供することを目的とする。
【課題を解決するための手段】
【０００８】
この発明に係るエレベータの乗場装置は、乗場三方枠の幕板の裏面に遮煙・遮炎スクリーン装置のケースを配置した遮煙・遮炎スクリーン組込型乗場装置において、遮煙・遮炎スクリーン装置のケースは、乗場三方枠の縦枠のスクリーン用ガイドレールの乗場側上端部近傍に垂直部が固着されて設置され、水平部が遮煙・遮炎スクリーン装置のケース下面を固定支持するＬ字形のスクリーンケース固定金具を介して固定されており、遮煙・遮炎スクリーン装置のケース内に設けられ、周囲に遮煙・遮炎スクリーンが巻かれた円筒状の巻き取りシャフトと、巻き取りシャフトを支持するために両端部に突設されたシャフト軸と、遮煙・遮炎スクリーン装置のケースに固定され、シャフト軸を軸支する巻き取りシャフトの取付ブラケットとを備え、遮煙・遮炎スクリーン、巻き取りシャフト、及びシャフト軸を支持する巻き取りシャフトの取付ブラケットを、乗場三方枠の縦枠の上端部でかつスクリーン用ガイドレールの乗場側に固定して、遮煙・遮炎スクリーン装置のケースの重量が乗場三方枠の縦枠に直接掛かるように構成したものである。
【発明の効果】
【０００９】
この発明によれば、従来のように乗場三方枠の幕板部にスクリーン取付用補強がないため、乗場三方枠の幕板の歪みが無く意匠性が向上する。また、乗場三方枠の仕様（縦枠幅、幕板高さ等）の変化にも容易に対応ができるので、工作性が向上する。
【発明を実施するための最良の形態】
【００１０】
実施の形態１.
図１はこの発明の実施の形態１におけるエレベータの乗場装置を示す正面図、図２は図１のＡ−Ａ線に沿った断面図、図３はこの発明の実施の形態１におけるエレベータの乗場装置を輸送コンテナに組み込んだ輸送時の状態を示す要部拡大図、図４は図３のＢ−Ｂ線に沿った断面図、図５は遮煙・遮炎スクリーン装置を取外した状態を示す図４相当図である。
【００１１】
図において、１は乗場装置の輸送コンテナ、１ａは輸送用固定金具、２は乗場三方枠、２ａは乗場三方枠２の正面上方部を構成する幕板、２ｂは乗場三方枠２の左右両側部を構成する縦枠、２ｃは乗場三方枠２の縦枠２ｂに互いに対向するように設けられたガイドレールで、遮煙・遮炎スクリーンの昇降をガイドするものである。３は幕板２ａの背面側に設置された箱状の遮煙・遮炎スクリーン装置のケース、３ａは遮煙・遮炎スクリーン、３ｂは遮煙・遮炎スクリーン３ａの先端部に取り付けられたスクリーン錘であり、これらは工場で一体的に組立てられ、一体の遮煙・遮炎スクリーン組込型乗場装置を構成している。この遮煙・遮炎スクリーン装置は、スクリーン昇降用モータの無いタイプのものであり、火災等により制御信号を受けると、遮煙・遮炎スクリーン装置のラチェット等の係合が外れてスクリーン３ａの先端部に取り付けられたスクリーン錘３ｂにより遮煙・遮炎スクリーン３ａが降下する構成のもので、遮煙・遮炎スクリーン３ａを巻き付けるドラムの回転を機械的に制動して、遮煙・遮炎スクリーン３ａの降下速度を一定にしている。なお、スクリーン昇降用モータの無いタイプのもので説明しているが、スクリーン昇降用モータ付きの場合であっても差し支えはないものである。１１は乗場三方枠２の縦枠２ｂの上端部裏面でかつガイドレール２ｃのエレベータ乗場側に固着されたＬ字形の固定金具で、この固定金具１１を介して遮煙・遮炎スクリーン装置のケース３下面を支持固定している。１３は遮煙・遮炎スクリーン装置のケース３内に設けられた円筒状の巻き取りシャフトで、その周囲には遮煙・遮炎スクリーン３ａが巻かれている。１４は巻き取りシャフト１３を支持するために両端部に突設されたシャフト軸で、このシャフト軸１４は巻き取りシャフトの取付ブラケット１２に軸支されている。この巻き取りシャフトの取付ブラケット１２は、予め遮煙・遮炎スクリーン装置のケース３に取付ネジ３０により固定されている。そして更に、この巻き取りシャフトの取付ブラケット１２は、上記固定金具１１に取付ネジ３１により共締め固定されている。遮煙・遮炎スクリーン装置全体で最も質量を占めるのが、遮煙・遮炎スクリーン３ａを巻き取る巻き取りシャフト１３及びそのシャフト軸１４である。すなわち、この発明においては、遮煙・遮炎スクリーン装置全体で最も質量を占めるスクリーン３ａ、巻き取りシャフト１３、及びそのシャフト軸１４を支持する巻き取りシャフトの取付ブラケット１２を、乗場三方枠２の縦枠２ｂの上端部でかつガイドレール２ｃの乗場側に締結固定して、遮煙・遮炎スクリーン装置のケース３の重量が乗場三方枠２の縦枠２ｂの側に直接掛かるように構成している。なお、図４は遮煙・遮炎スクリーン装置のケース３のカバーを取外した状態を示している。遮煙・遮炎スクリーン３ａを降下させた状態にすると、遮煙・遮炎スクリーン装置は取外し可能となり、故障した場合の保守ができる。図５は遮煙・遮炎スクリーン装置のケース３を取外した状態を示している。なお、１０は運搬用補強板、２０は乗場の壁、２１は乗場の戸である。
【００１２】
このように構成された遮煙・遮炎スクリーン組込型乗場装置は、遮煙・遮炎スクリーン装置のケースを、乗場三方枠２の縦枠２ｂの上端部でかつガイドレール２ｃの乗場側に締結固定し、遮煙・遮炎スクリーン装置のケース３の重量が乗場三方枠２の縦枠２ｂの側に掛かるように構成しているので、トラック輸送時の振動などにより乗場三方枠の幕板への影響を軽減させることができ、意匠部品に対する品質を従来のものより向上させることができる。
【００１３】
したがって、この実施の形態１によれば、従来のように乗場三方枠の幕板部にスクリーン取付用補強がないため、乗場三方枠の幕板の歪みが無く意匠性が向上する。また、乗場三方枠の仕様（縦枠幅、幕板高さ等）の変化にも容易に対応ができるので、工作性が向上する。
【図面の簡単な説明】
【００１４】
【図１】この発明の実施の形態１におけるエレベータの乗場装置を示す正面図である。
【図２】図１のＡ−Ａ線に沿った断面図である。
【図３】この発明の実施の形態１におけるエレベータの乗場装置を輸送コンテナに組み込んだ輸送時の状態を示す要部拡大図である。
【図４】図３のＢ−Ｂ線に沿った断面図である。
【図５】遮煙・遮炎スクリーン装置を取外した状態を示す図４相当図である。
【図６】従来の遮煙・遮炎スクリーンが組み込まれたエレベータの乗場装置を輸送コンテナに組み込んだ輸送時の状態を示す正面図である。
【図７】エレベータの乗場装置を輸送コンテナに組み込んでトラックに載せて輸送中の状態を示す図である。
【図８】図６の矢視Ｃ方向から見た乗場装置の側面図である。
【図９】図６の上方向から見た乗場装置の平面図である。
【図１０】図６のＤ部を拡大して示す詳細図である。
【図１１】乗場三方枠の幕板の高さが大きい場合の例を示す図１０相当図である。
【図１２】乗場三方枠の縦枠の幅が大きい場合の例を示す図１０相当図である。
【符号の説明】
【００１５】
１  輸送コンテナ
１ａ  輸送用固定金具
２  乗場三方枠
２ａ  幕板
２ｂ  縦枠
２ｃ  ガイドレール
３  遮煙・遮炎スクリーン装置のケース
３ａ  遮煙・遮炎スクリーン
３ｂ  スクリーン錘
４ａ  上枠
４ｂ  下枠
４ｃ  縦柱
４ｄ  支持枠
４ｅ  固定金具
４ｆ  支持金具
５、７  Ｌ字状の取付金
６  取付補強
１０  運搬用補強板
１１  Ｌ字形の固定金具
１２  巻き取りシャフトの取付ブラケット
１３  巻き取りシャフト
１４  シャフト軸
２０  乗場の壁
２１  乗場の戸
３０、３１  取付ネジ
【図１】
0004826164.tif 000002
【図２】
0004826164.tif 000003
【図３】
0004826164.tif 000004
【図４】
0004826164.tif 000005
【図５】
0004826164.tif 000006
【図６】
0004826164.tif 000007
【図７】
0004826164.tif 000008
【図８】
0004826164.tif 000009
【図９】
0004826164.tif 000010
【図１０】
0004826164.tif 000011
【図１１】
0004826164.tif 000012
【図１２】
0004826164.tif 000013